(57)【要約】  錠とそれに嵌合する鍵の組み合わせが開示される。錠は、固定子と、鍵穴が設けられた回転子を備え、鍵は、鍵穴に挿入される差込部分を有する。差込部分は、少なくとも１つの組み合わせ面と、少なくとも１つの可動部品を有し、可動部品は、鍵の少なくとも１つの面の高さを高くするために、その１つの面から上に突き出させることができ、かつ回転子の回転を制御するための少なくとも１つの第１の制御部品と嵌合する。また、回転子の回転を制御するための少なくとも１つの第２の制御部品が、少なくとも１つの第１の制御部品の反対側に位置する錠の部分に、鍵穴を介して設けられ、鍵の反対側の表面に位置する、可動部の裏側の孔と嵌合するよう設けられる。【選択図】図２
2008531889.tif 000002
【特許請求の範囲】
【請求項１】
錠とそれに嵌合する鍵の組み合わせであって、
錠は、固定子と、鍵穴が設けられた回転子を備え、鍵は、鍵穴に挿入される差込部分を有し、差込部分は、少なくとも１つの組み合わせ面と、少なくとも１つの可動部品を有し、可動部品は、鍵の少なくとも１つの面の高さを高くするために、鍵の少なくとも１つの面から上に突き出させることができ、かつ回転子の回転を制御するための少なくとも１つの第１の制御部品と嵌合し、
回転子の回転を制御するための少なくとも１つの第２の制御部品が、少なくとも１つの第１の制御部品の反対側に位置する錠の部分に、鍵穴を介して設けられ、少なくとも１つの第２の制御部品は、鍵の反対側の表面に位置する、可動部の裏側の孔と嵌合するよう調整されていることを特徴とする、錠とそれに嵌合する鍵の組み合わせ。
【請求項２】
少なくとも１つの第２の制御部品は、鍵が鍵穴に挿入された時に、可動部品と嵌合することを特徴とする、請求項１に記載の組み合わせ。
【請求項３】
少なくとも１つの第２の制御部品は、鍵が鍵穴に挿入された時に、可動部品を動かすことを特徴とする、請求項２に記載の組み合わせ。
【請求項４】
鍵と嵌合して動作する錠であって、
鍵は、錠の鍵穴に挿入される差込部分を有し、差込部分は、少なくとも１つの組み合わせ面と、少なくとも１つの可動部品を有し、可動部品は、鍵の少なくとも１つの面の高さを高くするために、鍵の少なくとも１つの面から上に突き出させることができ、かつ回転子の回転を制御するための少なくとも１つの第１の制御部品と嵌合し、
錠は、固定子と、鍵穴が設けられた回転子を有し、回転子の回転を制御するための、少なくとも１つの第２の制御部品が、少なくとも１つの第１の制御部品の反対側に位置する錠の部分に、鍵穴を介して設けられ、少なくとも１つの第２の制御部品は、鍵の反対側の表面に位置する、可動部の裏側の孔と嵌合するよう調整されていることを特徴とする、鍵と嵌合して動作する錠。
【請求項５】
少なくとも１つの第２の制御部品は、鍵が鍵穴に挿入された時に、可動部品と嵌合することを特徴とする、請求項４記載の錠。
【請求項６】
少なくとも１つの第２の制御部品は、鍵が鍵穴に挿入された時に、可動部品を動かすことを特徴とする、請求項５記載の錠。
【請求項７】
少なくとも１つの第２の制御部品は、鍵穴から回転子を介してその一部分が固定子まで続いている孔の中に設けられた少なくとも１つの制御ピンと、少なくとも１つの制御ピンを作動させるためのスプリングから構成されることを特徴とする、請求項４記載の錠。
【請求項８】
少なくとも１つの制御ピンは、ピンと、浮動部品から構成されることを特徴とする、請求項７記載の錠。
【請求項９】
浮動部品は、ボールから構成されることを特徴とする、請求項８記載の錠。
【請求項１０】
固定子の孔の中には、スプリングにより動作する第２のピンアセンブリが配置され、少なくとも１つの第２の制御部品と嵌合することを特徴とする、請求項７記載の錠。
【請求項１１】
少なくとも１つの第１の制御部品、または少なくとも１つの第２の制御部品は、少なくとも２つの伸縮式に接続された、同軸上のピンから構成されることを特徴とする、請求項１０記載の錠。
【請求項１２】
少なくとも２つの伸縮式に接続された同軸上のピンのうち内側のピンは、鍵の可動部品の内側に設けられた第２の可動部品と嵌合するよう、設けられることを特徴とする、請求項１１記載の錠。
【請求項１３】
少なくとも２つの伸縮式に接続された同軸上のピンのうち内側のピンは、鍵の可動部品の内側に設けられた第２の可動部品を動作させるよう、設けられることを特徴とする、請求項１１記載の錠。
【請求項１４】
少なくとも１つの第１の制御部品は、鍵が鍵穴に挿入されると、少なくとも１つの第２の制御部品に向かって、可動部品を押し出すように動作することを特徴とする、請求項４記載の錠。
【請求項１５】
少なくとも１つの第２の制御部品は、鍵が鍵穴に挿入されると、少なくとも１つの第１の制御部品に向かって、可動部品を押し出すように動作することを特徴とする、請求項４記載の錠。
【請求項１６】
錠と嵌合して動作する鍵であって、
錠は、固定子と、鍵穴が設けられた回転子を有し、回転子の回転を制御するための少なくとも１つの第１の制御部品と、少なくとも１つの第２の制御部品を備え、少なくとも１つの第２の制御部品が、少なくとも１つの第１の制御部品の反対側に位置する錠の部分に、鍵穴を介して設けられ、
鍵は、錠の鍵穴に挿入する差込部分を有し、差込部分は、少なくとも１つの組み合わせ面と、少なくとも１つの可動部品を有し、可動部品は、鍵の少なくとも１つの面の高さを高くするために、鍵の少なくとも１つの面から上に突き出させることができ、かつ回転子の回転を制御するための少なくとも１つの第１の制御部品と嵌合し、反対の表面には、上記少なくとも１つの第２の制御部品と嵌合する孔が可動部品の裏側に設けられていること特徴とする、錠と嵌合して動作する鍵。
【請求項１７】
可動部品は、浮動部品から構成されることを特徴とする、請求項１６記載の鍵。
【請求項１８】
少なくとも１つの第２の制御部品の前側に位置する、浮動部品の一端は、鍵が鍵穴に挿入されると、表面に凹みができることを特徴とする、請求項１７記載の鍵。
【請求項１９】
可動部品は、スプリングで動作する可動部品から構成されることを特徴とする、請求項１６記載の鍵。
【請求項２０】
可動部品は、弾性のある部品から構成されることを特徴とする、請求項１６記載の鍵。
【請求項２１】
少なくとも１つの可動部品は、さらに高さを高くするために、少なくとも１つの可動部品に埋め込まれた、少なくとも１つの第２の可動部品を有することを特徴とする、請求項１６記載の鍵。
【請求項２２】
少なくとも１つの第２の可動部品は、浮動部品から構成されることを特徴とする、請求項２１記載の鍵。
【請求項２３】
第２の可動部品は、弾性のある部品から構成されることを特徴とする、請求項２１記載の鍵。
【請求項２４】
第２の可動部品は、少なくとも１つのスプリングで動作する可動部品から構成されることを特徴とする、請求項２１記載の鍵。
【請求項２５】
少なくとも１つの第２の可動部品は、さらに高さを高くするために、１つ以上のスプリングで動作する可動部品から構成されることを特徴とする、請求項２４記載の鍵。
【請求項２６】
少なくとも１つの第２の可動部品は、少なくとも１つの第１の可動部品の反対側に位置する可動部品から構成されることを特徴とする、請求項２１記載の鍵。
【請求項２７】
鍵は、反対の方向を向いている、少なくとも一対の可動部品から構成されることを特徴とする、請求項１６記載の鍵。
【発明の詳細な説明】
【技術分野】
【０００１】
本発明は、一般的には、施錠装置に関し、より具体的には、キーシャフト面の高さをさらに高くするための手段と、安全性を高めるためのその他の手段を備えた、鍵と、鍵によって作動する錠に関する。
【背景技術】
【０００２】
既に、さまざまな鍵と、それに対応する錠が知られている。錠は、通常、固定子の中に回転子が埋め込まれた構成となっており、その操作は鍵で行われる。固定子の中には、１つまたはそれ以上のピンが設けられており、それらのピンにより回転子を固定して、回転子が回転しないよう保持される。固有の形状をした鍵が鍵穴に挿入されると、その形状によりピンが移動され、固定子が回転可能な状態となる。他の形状の鍵では、ピンの位置を正しく合わせることができないため、錠を作動させることができず、よって、錠を操作できるのは、錠に一致する鍵でのみである。
【０００３】
何年にも亘って、鍵の形状は、キーブランクの最も厚い部分の厚さにより制限されてきた。実際には、キーブランク上に設けられる凹み（窪み）の組み合わせによって、鍵が構成される。
【０００４】
しかしながら、キーブランク面から突出した高位部を有し、その高くなった表面を利用して、さらなる鍵の組み合わせを可能にする鍵も登場している。例えば、特許文献１（Ｖａｃｈｅｔｔｅ）、特許文献２（Ｄｏｎａｔｉｎｉ）、特許文献３（Ｗｉｅｎｂｅｒｇｅｒ）、特許文献４（Ｖａｌｄａｊｏｓ）、特許文献５（Ｅｉｚｅｎ）等がある。これらの従来例では、一般的なキーブランクの表面よりも高い面が設けられ、キーブランクの最も高い部分と、回転子の内側のあいだの距離よりも、短い長さのピンアセンブリを使用できるようにした技術が開示されている。
【０００５】
キーブランクの表面の所定の位置に高位部を追加する方法としては、キーブランクに浮動部品を設け、錠の回転子中に埋め込まれた、スプリングで動作する押出ピンにより、浮動部品をキーブランクから押し出す方法（特許文献５）、キーブランクに、スプリングで動作する可動ピンを埋め込む方法（例えば、特許文献１）、伸縮性のある材料から構成された弾力性のある部品を、キーブランクの孔の中に配置し、キーブランクの外に飛び出させる方法（特許文献３）等がある。なお、高さを高くする方法は、上記以外にも知られている。
【０００６】
上記の鍵およびそれに対応する錠はすべて、鍵に設けた高位部を使用して、錠の制御機構を動作させる。しかしながら、これらの鍵および錠は、回転子の回転制御システムを作動させるのに、鍵の可動部品の、高くなった側のみを使用している。
【特許文献１】仏国特許第２１６１２０４号公報
【特許文献２】国際公開第ＷＯ００／２２２６３号公報
【特許文献３】国際公開第ＷＯ００／５７００６号公報
【特許文献４】英国特許出願公開第２１６１２０４号公報
【特許文献５】米国特許第５８３９３０８号公報
【発明の開示】
【発明が解決しようとする課題】
【０００７】
上記の例で使用されている動作原理は、キーシャフトの表面の高さを調整する手段がありさえすれば、他の鍵でも、開示されたこれらの錠を開錠できてしまうという、大きな脆弱性を有している。言い換えると、キーシャフトの表面の必要な場所に、必要な高位部を設ければ、その鍵で、錠内の対応するピンをうまく動かすことができてしまう。
【０００８】
キーシャフトの所定の位置に高位部を設ける鍵がいくつも発明され、その結果、上記の錠の原理に従って製造された錠が、より多くの鍵で開錠できるようになった。これによって、上記の原理に従って製造された鍵のコピーの統制が取れなくなり、対応する錠の安全性に対する脅威が深刻化する結果となっている。無許可で合鍵を作製することを禁じる、特許またはその他の知的財産法によって鍵が保護されていれば、鍵のコピーの統制は大幅に改善される。特許により保護されていない方法で、キーシャフトの所定の場所に高位部を設けた鍵を製作できるようになった時点で、その錠は、致命的に安全性を失ってしまう。
【０００９】
従って、本発明の主たる目的は、回転子内に、追加で設けた制御部分を動作させるために、キーブランクから高位部の高くなった部分のみに限らず、高くなった部分を、鍵の外側に突出させるときにその裏側に形成される、高くなった部分の裏側の窪み、または空間を使用して、鍵の回転子が回転するようにした、改善された施錠装置を提供することである。
【００１０】
Ｅｉｚｅｎ等による特許文献５、名称「ＬＯＣＫＩＮＧ  ＡＰＰＡＲＡＴＵＳ」は、キーシャフト内に保持された可動ピン部を備え、上記可動ピン部は、キーシャフトの表面に対して垂直に移動可能なことを特徴とする、キーシャフトの表面の１つまたは複数の箇所に高位部を設ける原理に基づいている。この原理によると、ハウジング内のプラグを構成するシリンダの中の適切な位置に鍵を配置すると、プラグ内に設けられた押出ピンアセンブリがスプリングによって動作し、可動ピン部が、キーシャフト面より上の位置まで押し上げられる。押し出された可動ピン部によって、プラグ内に配置された第１のピンアセンブリが押し出される。すると、第１のピンアセンブリによって、錠のシリンダハウジング内に設けられた、同軸上の第２のピンアセンブリが押し出される。第１および第２のピンアセンブリは、このようにピンアセンブリが移動すると、プラグとハウジングの間のシェアラインが、第１および第２のピンアセンブリそれぞれの対向する表面と一致するよう配置されており、これによって、プラグがハウジング内で回転するようになる。
【００１１】
本発明は、とりわけ、Ｅｉｚｅｎの施錠装置に対する改善を提案する。
【００１２】
本発明の他の目的は、本発明の原理に従って製作された錠を開錠する、合鍵の使用を困難にする、施錠装置を提供することである。
【００１３】
本発明の他の主たる目的は、安全性の保護機能が強化された、改善された施錠装置を提供することである。
【００１４】
本発明の他の主たる目的は、より多くの鍵の組合せが可能である、改善された施錠装置を提供することである。
【００１５】
本発明の他の主たる目的は、既存の類似の施錠装置向けの既存の製造装置や製造工程に、費用を掛けて大幅な変更を加えることなく、鍵および錠を製造できる、改善された施錠装置を提供することである。
【００１６】
本発明の他の目的および効果は、本明細書を読み、添付の図面を参照することによって、明らかにされる。
【課題を解決するための手段】
【００１７】
従って本発明のある態様によると、
錠とそれに嵌合する鍵の組み合わせであって、
錠は、固定子と、鍵穴が設けられた回転子を備え、鍵は、鍵穴に挿入される差込部分を有し、差込部分は、少なくとも１つの組み合わせ面と、少なくとも１つの可動部品を有し、可動部品は、鍵の少なくとも１つの面の高さを高くするために、鍵の少なくとも１つの面から上に突き出させることができ、かつ回転子の回転を制御するための少なくとも１つの第１の制御部品と嵌合し、
回転子の回転を制御するための少なくとも１つの第２の制御部品が、少なくとも１つの第１の制御部品の反対側に位置する錠の部分に、鍵穴を介して設けられ、少なくとも１つの第２の制御部品は、鍵の反対側の表面に位置する、可動部の裏側の孔と嵌合するよう調整されていることを特徴とする、錠とそれに嵌合する鍵の組み合わせが提供される。
【００１８】
さらに、本発明の他の態様によると、少なくとも１つの第２の制御部品は、鍵が鍵穴に挿入された時に、可動部品と嵌合することを特徴とする組み合わせが提供される。
【００１９】
さらに、本発明の他の態様によると、少なくとも１つの第２の制御部品は、鍵が鍵穴に挿入された時に、可動部品を動かすことを特徴とする組み合わせが提供される。
【００２０】
さらに、本発明の他の態様によると、
鍵と嵌合して動作する錠であって、
鍵は、錠の鍵穴に挿入される差込部分を有し、差込部分は、少なくとも１つの組み合わせ面と、少なくとも１つの可動部品を有し、鍵の少なくとも１つの面の高さを高くするために、鍵の少なくとも１つの面から上に突き出させることができ、かつ回転子の回転を制御するための少なくとも１つの第１の制御部品と嵌合し、
錠は、固定子と、鍵穴が設けられた回転子を有し、
回転子の回転を制御するための、少なくとも１つの第２の制御部品が、少なくとも１つの第１の制御部品の反対側に位置する錠の部分に、鍵穴を介して設けられ、少なくとも１つの第２の制御部品は、鍵の反対側の表面に位置する、可動部の裏側の孔と嵌合するよう調整されていることを特徴とする、鍵と嵌合して動作する錠が提供される。
【００２１】
さらに、本発明の他の態様によると、少なくとも１つの第２の制御部品は、鍵が鍵穴に挿入された時に、可動部品と嵌合することを特徴とする錠が提供される。
【００２２】
さらに、本発明の他の態様によると、少なくとも１つの第２の制御部品は、鍵が鍵穴に挿入された時に、可動部品を動かすことを特徴とする錠が提供される。
【００２３】
さらに、本発明の他の態様によると、少なくとも１つの第２の制御部品は、鍵穴から回転子を介してその一部分が固定子まで続いている孔の中に設けられた少なくとも１つの制御ピンと、少なくとも１つの制御ピンを作動させるためのスプリングから構成され、
ることを特徴とする錠が提供される。
【００２４】
さらに、本発明の他の態様によると、少なくとも１つの制御ピンは、ピンと、浮動部品から構成されることを特徴とする錠が提供される。
【００２５】
さらに、本発明の他の態様によると、浮動部品は、ボールから構成されることを特徴とする錠が提供される。
【００２６】
さらに、本発明の他の態様によると、固定子の孔の中には、スプリングにより動作する第２のピンアセンブリが配置され、少なくとも１つの第２の制御部品と嵌合することを特徴とする錠が提供される。
【００２７】
さらに、本発明の他の態様によると、少なくとも１つの第１の制御部品、または少なくとも１つの第２の制御部品は、少なくとも２つの伸縮式に接続された、同軸上のピンから構成されることを特徴とする錠が提供される。
【００２８】
さらに、本発明の他の態様によると、少なくとも２つの伸縮式に接続された同軸上のピンのうち内側のピンは、鍵の可動部品の内側に設けられた第２の可動部品と嵌合するよう、設けられることを特徴とする錠が提供される。
【００２９】
さらに、本発明の他の態様によると、少なくとも２つの伸縮式に接続された同軸上のピンのうち内側のピンは、鍵の可動部品の内側に設けられた第２の可動部品を動作させるよう、設けられることを特徴とする錠が提供される。
【００３０】
さらに、本発明の他の態様によると、少なくとも１つの第１の制御部品は、鍵が鍵穴に挿入されると、少なくとも１つの第２の制御部品に向かって、可動部品を押し出すように動作することを特徴とする錠が提供される。
【００３１】
さらに、本発明の他の態様によると、少なくとも１つの第２の制御部品は、鍵が鍵穴に挿入されると、少なくとも１つの第１の制御部品に向かって、可動部品を押し出すように動作することを特徴とする錠が提供される。
【００３２】
さらに、本発明の他の態様によると、
錠と嵌合して動作する鍵であって、
錠は、固定子と、鍵穴が設けられた回転子を有し、回転子の回転を制御するための少なくとも１つの第１の制御部品と、少なくとも１つの第２の制御部品を備え、少なくとも１つの第２の制御部品が、少なくとも１つの第１の制御部品の反対側に位置する錠の部分に、鍵穴を介して設けられ、鍵は、錠の鍵穴に挿入する差込部分を有し、差込部分は、少なくとも１つの組み合わせ面と、少なくとも１つの可動部品を有し、可動部品は、鍵の少なくとも１つの面の高さを高くするために、鍵の少なくとも１つの面から上に突き出させることができ、かつ回転子の回転を制御するための少なくとも１つの第１の制御部品と嵌合し、反対の表面には、上記少なくとも１つの第２の制御部品と嵌合する孔が可動部品の裏側に設けられていること特徴とする錠と嵌合して動作する鍵が提供される。
【００３３】
さらに、本発明の他の態様によると、可動部品は、浮動部品から構成されることを特徴とする鍵が提供される。
【００３４】
さらに、本発明の他の態様によると、少なくとも１つの第２の制御部品の前側に位置する、浮動部品の一端は、鍵が鍵穴に挿入されると、表面に凹みができることを特徴とする鍵が提供される。
【００３５】
さらに、本発明の他の態様によると、可動部品は、スプリングで動作する可動部品から構成されることを特徴とする鍵が提供される。
【００３６】
さらに、本発明の他の態様によると、可動部品は、弾性のある部品から構成されることを特徴とする鍵が提供される。
【００３７】
さらに、本発明の他の態様によると、少なくとも１つの可動部品は、さらに高さを高くするために、少なくとも１つの可動部品に埋め込まれた、少なくとも１つの第２の可動部品を有することを特徴とする鍵が提供される。
【００３８】
さらに、本発明の他の態様によると、少なくとも１つの第２の可動部品は、浮動部品から構成されることを特徴とする鍵が提供される。
【００３９】
さらに、本発明の他の態様によると、第２の可動部品は、弾性のある部品から構成されることを特徴とする鍵が提供される。
【００４０】
さらに、本発明の他の態様によると、第２の可動部品は、少なくとも１つのスプリングで動作する可動部品から構成されることを特徴とする、請求項２１記載の鍵。
【００４１】
さらに、本発明の他の態様によると、少なくとも１つの第２の可動部品は、さらに高さを高くするために、１つ以上のスプリングで動作する可動部品から構成されることを特徴とする鍵が提供される。
【００４２】
さらに、本発明の他の態様によると、少なくとも１つの第２の可動部品は、少なくとも１つの第１の可動部品の反対側に位置する可動部品から構成されることを特徴とする鍵が提供される。
【００４３】
さらに、本発明の他の態様によると、鍵は、反対の方向を向いている、少なくとも一対の可動部品から構成されることを特徴とする、鍵が提供される。
【発明を実施するための最良の形態】
【００４４】
次に、本発明について、例示の目的のためだけに、添付の図面を参照しながら説明する。なお、図面では、類似した部分には同じような参照符号が付されている。
【００４５】
本発明は、錠および鍵に対する改善について開示する。また、鍵の可動部の両側と同時に協調し合う、追加の回転子制御機構を提供することを狙いとした、錠における改善点を紹介する。
【００４６】
本発明は、回転子内に設けられた追加の制御部分を動作させるために、キーブランクから突出部を突出させた部分のみを使用するのではなく、突出部の引っ込んだ側、もしくは突出部を鍵の外側に突出させたときに、突出部の裏側に形成される空間を使用して、鍵の回転子を回転させる。本発明の主な特徴は、鍵の可動部品の裏側で動作する、少なくとも１つの動作ピンを追加したことである。
【００４７】
本発明は、キーシャフトの表面の高さを、１つまたは複数の箇所で調整する手段を有する鍵と、強化された回転子制御手段を備えた対応する錠と、を備える。
【００４８】
さらに、本発明では、押出ピンを変形して、押出ピンが、押出ピンとしての役割に加え、錠シリンダハウジング内に設けられた、錠シリンダ内のプラグの回転を制御するための追加の作動ピンとして機能する、特許文献５（図１）に開示された施錠装置機構に対する改善策について紹介する。この新しい特徴は、従来の技術における第１のピンアセンブリと、第２のピンアセンブリによって、錠シリンダ内のプラグの回転を制御する、従来の機構に追加される。
【００４９】
図１は、鍵が挿入された状態の、従来技術（特許文献５）による錠シリンダを示す図である。錠は、一般的に、プラグハウジング（固定子）２６内で回転可能なシリンダプラグ（回転子）２２から構成される。プラグハウジング２６には、プラグ２２を貫通する孔２８が設けられ、その中に、第１のピンアセンブリ２７、２９と第２のピンアセンブリ２４、２５が配置される。錠が作動するには、孔２８の内側で、第１のピンアセンブリ２７、２９と、第２のピンアセンブリ２４、２５との間のシェアラインの位置が、回転子２２と固定子２６の間のシェアラインの位置と一致する必要がある（以下、「整列位置」という）。
【００５０】
プラグに鍵が挿入されていない、または組み合わせの異なった鍵が挿入されると、スプリング３０、３１によって、ピンアセンブリが整列位置から押し外される。組み合わせの正しい鍵がプラグに挿入されると、ピンアセンブリが整列位置に合わせられる。鍵３２には、可動ピン部３４が設けられる。可動ピン部３４は、スプリングにより動作する押出ピン３６によって、キーシャフトの表面の外側に押しだされる。なお、押出ピン３６は、プラグ２２の孔３８内に保持される。押出ピンアセンブリ３６は、スプリング４０により押圧される。スプリング４０は、押出ピン３８の、可動ピン部３４から離れたほうの一端に取り付けられ、押出ピン３８を、可動ピン部４４の方向に向かって一定の力で押圧する。
【００５１】
正しい鍵がプラグ２２の鍵穴に挿入され、可動ピン部３４が押出ピン３８の直前に到達すると、スプリング４０により押される押出ピン３８によって、ピン部３４が押し出され、ピン部３４が、キーシャフトの反対側の組み合わせ面に飛び出し、ピンアセンブリ２７、２９に嵌合する。孔２８の中で、第１のピンアセンブリ２７、２９と第２のピンアセンブリ２４、２５の間のシェアラインが、回転子２２と固定子２６の間に定義されるシェアラインの位置に到達し、鍵によって、錠のプラグを回転させることができる。
【００５２】
高位部を設けるための可動部３６がない鍵が挿入されても、第１のピンアセンブリ２７、２９と第２のピンアセンブリ２４、２５の間に定義されるシェアラインが、孔２８の中の回転子２２と固定子２６の間に配置されなければならないにも関わらず、正しい位置に配置されず、回転子中の孔２８に入ってしまうため、錠を回転させることはできない。
【００５３】
図２は、錠シリンダハウジング内に設けられた錠シリンダプラグの回転を制御するために、本発明の実施の形態に従って押出ピンアセンブリを変更した、錠シリンダの、鍵が挿入された状態を示す断面図である。この図では、押出ピンは、錠の回転を可能にする作動位置に配置される。
【００５４】
スプリング４２は、作動押出ピン４４の、可動ピン部３４から離れたほうの一端に取り付けられ、押出ピン４４を、可動ピン部３４の方向に向かって一定の力で押圧する。作動押出ピン４４は、貫通孔４６内に配置される。貫通孔４６は、鍵穴４８とピンアセンブリ２４、２５、２７、２９とは反対側の、同軸上にプラグ２２に切り込んで設けられる。貫通孔４６は、プラグ２２を貫通し、鍵穴４８から、プラグ２２の外側まで延びている。作動押出ピン４４の長さは、貫通孔４６よりも長くなっており、押出ピン４４の遠端部５０を、プラグ２２の外周の位置に合わせると、押出ピン４４の近端部５２が、貫通孔４６の近端側から飛び出し、鍵の可動ピン部３４の遠端部を押圧する。押出ピン４４の近端部５２は、はじめは鍵穴に飛び出た状態であるが、鍵が挿入されると、鍵によって、押出ピン４４の近端部５２が、スプリング４２に向かって押圧され、押出ピン４４が孔の内部に収容される。ピン４４の近端部５２が、差し込まれる鍵の上を、スムーズに滑るようにするために、近端部５２に傾き（例えば、傾斜または凹凸）を設けることが推奨される。
【００５５】
まとめると、スプリング４２が押出ピン４４を押圧することによって、押出ピン４４の近端部５２が、可動ピン部３４の遠端部が押圧する。これによって、可動ピン３４の近端部５４が、鍵の組み合わせ面５６から押し出され、これによって、ピンアセンブリ２４、２５、２７、２９が、スプリング３０、３１に向かって孔２８に押し込まれる。これによって、プラグ２２が回転可能となる。
【００５６】
ハウジング２６の、押出ピン４４の遠端部５０の反対側には、ハウジング孔５８が同軸上に設けられる。任意で設けることができる保持リング６０は、貫通孔４６に嵌合する。これによって、押出ピン４４とスプリング４２が保持されるとともに、押出ピン４４の遠端部５０を、ハウジング孔５８に向けて、移動させることができる。
【００５７】
任意で設けることができる肩部６２は、押出ピン４４の近端部５２に設けられる。これによって、押出ピン４４の近端部５２が、鍵穴４８に向かって、所定の停止位置まで移動するのを可能にし、それと同時に、押出ピン４４を貫通孔４６内に留まらせる役割を果たす。なお、所定の停止位置は、鍵穴の反対側よりも先には達しないものとする。
【００５８】
この、押出ピン４４の近端部５２の停止位置は、キーシャフトが鍵穴４８に挿入された時に、キーシャフトが押出ピン４４の近端部５２を押し上げ、これによって、押出ピン４４が、貫通孔４６に押し戻されるようにする目的を果たす。これはつまり、誤った組み合わせの鍵が鍵穴に挿入された場合、押出ピン４４が孔５８に刺さり、錠前が固定されて作動するのを防止する。
【００５９】
なお、スプリング４２は、ピンアセンブリ２４、２５、２７、２９のスプリング３０、３１よりも高い強度を有することが望ましい。これは、作動押出ピン４４がピンアセンブリを押す力のほうが、その反対よりも大きくなるようにするためである。
【００６０】
キーシャフトを鍵穴４８に挿入すると、鍵の組み合わせ面５６により作動押出ピン４４がブロックされ、遠端５０がハウジング孔５８から出ないため、可動ピン部３４が作動押出ピン４４の位置に達するまで、プラグ２２を回転することができない。可動ピン部３４が、作動押出ピン４４の位置に達すると、初めて、可動ピン部３４が作動押出ピン４４により押し下げられ、それによって、押出ピン４４の遠端部５０がハウジング孔５８から引き出され、プラグ２２が回転できるようになる。
【００６１】
当業者であれば、そのような可動ピン部３４が設けられていない鍵、または該可動ピンの裏側の空間がない鍵では、押出ピン４４の遠端５０をハウジング孔５８から引き出すことができないため、その鍵では開錠できないことは明らかである。さらに、これによりキーシャフトの所定の箇所に高位部を設けた無許可の鍵を使用した開錠が防止できることは、当業者には理解されるところである。
【００６２】
本発明は、鍵に設けられた浮動する可動ピン３４の両側を効果的に使用しているため、Ｅｉｚｅｎによって開示された鍵よりも、より安全な機構を提供することができる。
【００６３】
本発明の差別点と独自性を強調するために述べておくが、従来技術では、プラグ２２の固定と解除に、可動ピン部３４の片側しか使用されていないのに対し、本発明では、可動ピン部３４の両方の面が、それぞれプラグ２２を固定および解除するための独立した機構の一部を構成している。言い換えると、本発明によると、鍵の組み合わせ面５６の外側に突出した可動ピン部３４の近端部５４が、第２のピンアセンブリ２４を押し下げるのに使用され、これによって、プラグ２２が固定されずに、解除される。それと同時に、可動ピン３４の遠端部が、キーシャフト５６内に入り、これによって押出ピン４４の遠端部５０が、ハウジング孔５８から引き出される。これによって、プラグ２２が、ハウジング２６に固定されずに、解除される。
【００６４】
本発明は、Ｅｉｚｅｎにより説明される可動ピン部を有する鍵に制限されるものではない。次に、その他の実施の形態について、添付の図面を参照しながら説明する。
【００６５】
一般的な表現をすると、本発明は、動的な表面形状を有する鍵を活用するものであって、かつ、そのような動的な表面形状点を有する鍵の片側だけでなく両側を活用するものであり、それと同時に、錠の１つの機構だけでなく、２つ（またはそれ以上）を作動させるものである。
【００６６】
図２Ａは、図２の錠に類似した錠のシリンダの断面図である。ただし、図２Ａでは、本発明の他の実施の形態による変更が加えられている。動作原理は、図２に示す錠と類似している。ここでは、図２のように一体形成された押出ピン４４の代わりに、図１の従来技術による錠の押出ピンに類似した押出ピン３６が設けられる。ただし、テイル３９と、固定子の孔５８と嵌合する浮動ボール４１が追加される点で異なっていり。
【００６７】
図３は、図２の錠のシリンダの断面図である。ただし、図３では、キーシャフト５６が、可動ピン部３４が作動押出ピン４４と並ぶところに達する前の、鍵挿入時の部品の状態を示している。図３に示した状態では、押出ピン４４の遠端部５０がハウジング孔５８に入っているため、プラグ２２を回転させることができない。また、可動ピン部を一切有していない鍵、または可動部を有しているが、正しい位置に設けられていない、または正しい構造を有していない鍵を使用した場合も、押出ピン４４はこのような状態になる。
【００６８】
図４は、本発明の他の実施の形態を示す図である。図４において、可動ピン部３４の遠端部にはソケット７０が設けられる。ソケット７０は、押出ピン４４の近端部７２に嵌合する形状を有する。この他の実施の形態は、図２に示した実施の形態にて説明したものと類似しているが、押出ピン４４が長く、押出ピン４４の特定の形状を有した先端部が、ソケット７０に嵌合する点において異なっている。ここでは、押出ピンが長いため、作動押出ピンが、可動ピンの、対応するソケットの奥深くまで挿入されるため、ここで開示する正しい鍵以外の、鍵の表面に高位部を加える他の手段を備えた鍵による開錠を防止できる点が重要である。
【００６９】
図５は、本発明の他の実施の形態を示す図である。この実施の形態では、ハウジング孔５８には、さらに、第２の押出ピン７６と第２の押圧スプリング７８が設けられる。第２の押出ピン７８は、可動ピン部３４が、押出ピン４４の位置に到達した時点で、スプリング４２によって押出ピン４４に加えられる力と同軸上に、可動ピン部３４に向かう方向にさらに力が加わるよう機能する。さらに、第２の押圧スプリング７８は、可動ピン部３４が押出ピン４４の位置に到達した時点で、第２の押出ピン７６と押出ピン４４の、対向する面の間にシェアラインが定義されるよう、第２の押出ピン７６を遠端部５０に向かって押し出すために機能する。この実施の形態は、
作動押出ピンの突出した部分の長さに比べ、深い窪みを有する鍵を使用して、作動押出ピンの突出した部分が、鍵の有する窪みに押し込まれることで錠を無許可に開錠しようとする試みを防止するための解決策である。言い換えると、この錠は、一致する深さの窪みを有した鍵でしか、開錠することができない。
【００７０】
図６は、本発明の他の実施の形態を示す図である。この実施の形態では、第２の押圧スプリング７８は、スプリング４２が必要なくなるよう、十分な強度を有している（図５を参照）。従って、第２の押圧スプリング７８は、ピンアセンブリ２４のスプリング３７よりも、高い強度を有する。これは、作動押出ピン４４がピンアセンブリ２４を押す力が、その反対の力に勝るようにするためである。ピンアセンブリ３３、３５およびスプリング３７は、プラグ２２の回転を制御するために使用されるが、ただし、これまでの図で示したような、伸縮式のピンアセンブリ（２４、２５、２７、２９）も使用可能であることは自明である。
【００７１】
図７は、本発明の他の実施の形態を示す図である。この実施の形態では、さらに、補助の押出ピンアセンブリ８０が設けられる。補助の押出ピンアセンブリ８０のスプリング７８により、（ピン８０の内側に伸縮式に挿入された）補助の押出ピン８６およびスプリング８４を介して、作動押出ピン４４と、（ピン４４に伸縮式に挿入された）作動押出ピン８２の両方に、力が加えられる。
【００７２】
補助作動押出ピン８２と嵌合する、可動ピン部３４の遠端面の高さによっては、補助作動押出ピン８２の長さを、変更が加えられた作動押出ピン４４とは異なった長さにすることができる。なお、この遠端面の高さは、可動ピン部３４上に設けられた端部３３によって定義される。押圧スプリング７８および補助押出ピンアセンブリ８０は、作動押圧部８２の周囲に力を加える。
【００７３】
このように、作動押出ピン８２によって、変更が加えられた押出ピン４４の近端部の内側で、可動ピン部３４の裏側に形成されるソケット３７の深さや形状をさらに変更することが可能となる。これによって、可動ピン部３４の裏側の面の、可能なバリエーション数が増える。さらに、これによって施錠装置の安全性が強化される。
【００７４】
なお、スプリングで動作する、内側の作動押出ピン８２用のハウジングとして、作動押出ピン４４を使用することも、または、図２に示すように、補助の押出ピンアセンブリ８０と８６、およびスプリング７８、８４をなくして、作動押出ピン４４の本体の内側に、スプリングで動作する内側作動押出ピン８２を追加して、スプリングで動作する内側の作動押出ピン８２のハウジングとして、作動押出ピン４４を使用することも可能であることは明らかである。
【００７５】
図８は、本発明の他の実施の形態を示す図である。本実施形態は、図７に示す実施の形態に類似しているが、動作の方向が逆になっている点で異なっている。本実施形態では、作動押出ピンとして機能する伸縮式のピンアセンブリ２４（およびその内側の伸縮式のピン２５）によって、可動ピン部３４に力が加えられる。これらのピンは、鍵の可動部３４を押し上げ、別の伸縮式のピン４４、８２を移動させる。なお、ピン４４、８２の長さは、鍵穴と固定子の外周のあいだの距離よりも短くしてある。この実施の形態では、錠と鍵の安全性を高めるために、鍵の種類と組み合わせを増やすことができる。
【００７６】
図９は、本発明の他の実施の形態を示す図である。ここで、キーシャフト３２に設けられた可動ピン部３４は、階段状の孔９０を備えるよう変更が加えられている。可動ピン部３４の内側には、可動ピン９２が追加されており、階段状の孔９０の肩部９４と、それに嵌合する可動ピン９２の突起部９３を使用して、可動ピン９２が階段状の孔９０に保持される。可動ピン９２は、可動ピン部３４と同軸上に移動することができ、追加の可動部分を構成する。可動ピン部３４が正しい位置に配置されると、内側の可動ピン９２は、反対側のスプリングにより加えられる力によって、キーシャフト３２の表面から飛び出し、可動ピン部３４の近端部の移動距離を伸ばす、またはキーシャフト３２の表面に押し込まれ、可動ピン部３４の遠端部の移動距離を短縮する。内側の可動ピン９２は、作動押出ピン４４の内側に設けられた伸縮式の押出ピン８２によって動かされる。それによって、対向する（図８のピン２９の）内側に設けられた伸縮式のピン２７が動かされる。
【００７７】
図１０Ａは、本発明の他の実施の形態を示す図である。ここで、可動ピン部３４に設けられた孔１０４の内側には、スプリングを搭載したボール１００が設けられるよう、キーシャフト３２に設けられる可動ピン部３４が変更される。（なお、ボール１００は、スプリング１０２によって押し出される方向の力が加えられる。）これによって、可動ピン部３４の表面をさらに高くすることができる。図の右側の可動ピン部３４では、第１のスプリングを搭載したボールは、可動ピン部３４の近端面に設置され、これによって、可動ピン部３４の近端面が、キーシャフト３２の表面より高い位置まで移動する。
【００７８】
図の左側の可動ピン部３４では、可動ピン部３４の近端面に設けられた第１のスプリングを搭載したボールに加え、その遠端面にも、第２のスプリングを搭載したボールが設けられており、これによって、鍵の形状の種類をさらに増やすことができる。
【００７９】
図１０Ｂは、第１のスプリングを搭載したボール１００が可動ピン部３４の近端面に設けられ（右側）、第２のスプリングを搭載したボール１００が可動ピン部３４の遠端面に設けられた（左側）、本発明の他の実施の形態を示す図である。
【００８０】
図１０Ｃは、可動ピン部３４の近端面と遠端面の両方に、スプリングを搭載したボール１００が設置された、本発明の他の実施の形態を示す図である。
【００８１】
図１０Ａ〜１０Ｃに示す鍵は、可動部に、大きさや方向の異なる高位部を設けるための、他の可能な動作を示すものである。本発明の、いくつかの実施の形態においては、可動部と、各々の可動部に対応する追加の高位部は、すべての方向に一度に動かすようにすることができ、また錠の回転を可能にする別の機構を作動させるよう、設計することもできる。
【００８２】
図１１Ａは、ボール１００は、弾性材料（例えば、ゴム、弾性ポリマ、その他の材料）から構成される、本発明の他の実施の形態を示す図である。
【００８３】
図１１Ｂは、力が加わったときに、弾性ボール１００が、可動ピン部３４が支持面に対してつぶれる様子を示す図である。可動部の弾性ボールの動作は、これまで示した図を参照して説明した動作に類似しているが、ボールが柔軟であることから、柔軟性が加えられている。ボールが弾性を有していることから、スプリングが不必要となる。
【００８４】
図１１Ｃは、従来技術による、突出部を２つ有したキーブランクの断面図である。図１１Ａおよび図１１Ｂに示す鍵同様、突出部１０４には、スプリング１０８により、突出部１０が収容さるキーシャフト３２上の孔１０８から飛び出す方向に力が加えられているが、突出部１０４に圧力が加わると、突出部１０４が押し込まれ、突出部が引っ込み、キーシャフトと同じ高さになる。
【００８５】
図１２は、それぞれ追加の高位部が設けられた、スプリングで動作する突出部を２つ備えるキーブランクの断面図である。ここで、突出部は、２つの同軸上に取り付けられた部品１１０、１１２を有し、それぞれスプリング（１０８、１１４それぞれ）によって力が加えられることで、持ち上げられている。左側の突出部に設けられたスプリングは、両方とも、孔の底部の壁によって支えられる。図の右側では、他の実施形態が示されており、ここでは、スプリング１１４は、 部品１１０の別途設けられた壁１１６により支えられる。
【００８６】
図１３は、それぞれ追加で高位部が設けられた、スプリングで動作する高位部を２つ備えたキーブランクの断面図である。ここで、追加の高位部は、弾性材料で構成される突出部１１２により設けられる。
【００８７】
図１４は、（図１１Cに示すキーブランクに類似した）スプリングで動作する突出部を２つ有したキーブランクの断面図である。このキーブランクは、反対側に、追加の制御ピンと嵌合する孔が設けられる。孔１２２には、所望の深さまで制御ピン１２０が貫通する。この深さは、孔の最大幅と、ピンの細くなり具合によって決定される。貫通ピンは、可動部の底部に達するところまで、鍵の孔を通させることも、または鍵自体を貫通させることも可能である。
【００８８】
または、キーブランクに、孔の代わりに凹みを設け、ここに制御ピンを挿入するようにしてもよい。この実施の形態では、キーブランクの反対の両方の面が、制御機構と嵌合して機能する。
【００８９】
図１５は、スプリングで動作する高位部をいくつか備えた、スプリングで動作する突出部を２有するキーブランクの断面図である。このキーブランクの反対側には、追加の制御ピンと嵌合する孔が設けられる。この図に示した鍵は、実際には、図１２に示した特徴と、図１４に示した特徴を組み合わせたものである。これらの鍵においても、キーブランクの両側を使用して、制御機構と嵌合して機能させることができる。孔１２２には、所望の深さまで制御ピン１２０が貫通する。この深さは、孔の最大幅と、ピンの細くなり具合によって決定される。貫通ピンは、可動部の底部に達するところまで、鍵の孔を通させることも、または鍵自体を貫通させることも可能である。
【００９０】
図１６は、２つのスプリング（１０８）によって動作する突出部１０４と、突出部の裏側に独立して設けられた孔１３２と、孔と突出部の間に設けられた分離壁１３０を有する、本発明の他の実施の形態によるキーブランクの断面図である。壁は、制御部１２０のストッパとして機能する。孔の深さにより、制御部が孔の中に入るかが決定される。
【００９１】
または、本発明の他の実施の形態によると、図１６に示したスプリングで動作する突出部は、弾性部品（例えば、図１３の追加の部品１１２を参照）をもって代えることも可能である。
【００９２】
本明細書にて示した実施の形態の説明、および添付の図面は、本発明の理解を促進するために提供されているものであって、請求項の適用範囲を制限するものではないことは、明らかである。
【００９３】
また、当業者であれば、本明細書を読んだ後、以下の請求項の適用範囲内において、添付の図面および上記の実施の形態に調整または修正を加えることも可能であることは、明らかである。
【図面の簡単な説明】
【００９４】
【図１】従来技術による錠シリンダにおいて、鍵が挿入された状態を示す断面図である。
【図２】本発明の一実施形態による錠シリンダにおいて、鍵が挿入され、プラグが解除された状態を示す断面図である。
【図２Ａ】図２と類似しているが、変更の加えられた、本発明の一実施形態による錠シリンダを示す断面図である。
【図３】鍵が挿入された（が、まだ適切な位置に達しておらず）、プラグが施錠された状態である、図２の錠シリンダの断面図である。
【図４】鍵の押出ピンアセンブリに隣接する面と、可動ピン部の底面の形状を変更した、鍵を挿入した状態の錠のシリンダの断面図である。
【図５】回転子の制御を強化するために、追加の第２のスプリングで動作するピンが設けられた、本発明の他の実施の形態による錠シリンダの、鍵が挿入された状態の断面図である。
【図６】回転子の制御を強化するために、追加の第２のスプリングで動作するピンが設けられた、本発明の他の実施の形態による錠のシリンダの、鍵が挿入された状態の断面図である。なお、このスプリングは、押出ピンと第２のピンの両方を動かすのに使用される。
【図７】伸縮式の補助作動押出ピン（内側に別の押出ピンを有する）が設けられた、本発明の他の実施の形態による錠のシリンダの、鍵が挿入された状態の断面図である。
【図８】錠の反対側に押出ピンを設け、その側により強度の高いスプリングを設けることによって動作の方向を逆にした、本発明の他の実施の形態による錠のシリンダの、鍵が挿入された状態の断面図である。
【図９】キーシャフトの可動ピン部の内側に、追加の可動部を備えるよう変更が加えられた鍵が挿入された状態の、本発明の他の実施の形態による錠のシリンダの断面図である。ここで、追加の可動部は、作動押出ピンの内側に設けられた伸縮式の押出ピンによって動かされる。
【図１０Ａ】スプリングを搭載したボールが、可動ピン部Ａの近端面および／または遠端面に設けられる、本発明の他の実施の形態を示す図である。
【図１０Ｂ】図１０Ａに示す実施の形態の他の例を示す図である。
【図１０Ｃ】図１０Ａに示す実施の形態の他の例を示す図である。
【図１１Ａ】ボールが、弾性材料から構成される、本発明の他の実施の形態を示す図である。
【図１１Ｂ】弾性ボールが圧縮されているところを示す図である。
【図１１Ｃ】２つのスプリングで動作する突出部を有するキーブランクの断面図である。
【図１２】それぞれ追加の高位部が設けられた、スプリングで動作する突出部を２つ備えるキーブランクの断面図である。
【図１３】それぞれ追加の高位部が設けられた、スプリングで動作する突出部を２つ備えるキーブランクの断面図である。ここで、追加の高位部は、弾性の部品により設けられる。
【図１４】スプリングで動作する突出部を２つ有したキーブランクの断面図である。このキーブランクの反対側には、追加の制御ピンと嵌合して機能する孔が設けられる。
【図１５】スプリングで動作する高位部をいくつか備えた、スプリングで動作する突出部を２有するキーブランクの断面図である。このキーブランクの反対側には、追加の制御ピンと嵌合する孔が設けられる。
【図１６】２つのスプリングによって動作する突出部と、突出部の裏側に独立して設けられた孔と、孔と突出部の間に設けられた分離壁を有する、本発明の他の実施の形態によるキーブランクの断面図である。
【符号の説明】
【００９５】
２２  回転子／プラグ
２４  ピンアセンブリ
２５  伸縮式ピン
２６  固定子／ハウジング
２７、２９  第１のピンアセンブリ
２８  孔
３０、３１  スプリング
３２  鍵
３３、３５  ピンアセンブリ
３４  可動ピン部
３６  可動部
３７  ソケット
３８  押出ピン
３９  テイル
４０  スプリング
４１  浮動ボール
４２  スプリング
４４  押出ピン
４６  貫通孔
４８  鍵穴
５０  押出ピン４４の遠端部
５２  押出ピン４４の近端部
５４  可動ピン３４の近端部
５６  キーシャフト
５８  固定子の孔
６０  保持リング
６２  肩部
７０  ソケット
７２  押出ピン４４の近端部近端部
７６  第２の押出ピン
７８  第２の押圧スプリング
８０  補助の押出ピンアセンブリ
８２  内側の作動押出ピン
８４  スプリング
８６  補助の押出ピン
９０  階段状の孔
９２  可動ピン
９３  突起部
９４  肩部
１００  ボール
１０２  スプリング
１０４  突出部
１０８  スプリング
１１０  部品
１１２  部品
１１４  スプリング
１１６  壁
１２０  制御部
１２２  孔
１３０  分離壁
１３２  孔
【図１】
2008531889.tif 000003
【図２】
2008531889.tif 000004
【図２Ａ】
2008531889.tif 000005
【図３】
2008531889.tif 000006
【図４】
2008531889.tif 000007
【図５】
2008531889.tif 000008
【図６】
2008531889.tif 000009
【図７】
2008531889.tif 000010
【図８】
2008531889.tif 000011
【図９】
2008531889.tif 000012
【図１０Ａ】
2008531889.tif 000013
【図１０Ｂ】
2008531889.tif 000014
【図１０Ｃ】
2008531889.tif 000015
【図１１Ａ】
2008531889.tif 000016
【図１１Ｂ】
2008531889.tif 000017
【図１１Ｃ】
2008531889.tif 000018
【図１２】
2008531889.tif 000019
【図１３】
2008531889.tif 000020
【図１４】
2008531889.tif 000021
【図１５】
2008531889.tif 000022
【図１６】
2008531889.tif 000023
【国際調査報告】
2008531889.tif 000024